(57)【要約】【課題】本発明は拡大レンズの角度を使用者の好みの角度にでき且つ安価で経済的負担の少ない指ルーペを提供するにある。【解決手段】指ｙを挟持しで指ｙに装着され且つ内側を凸湾曲に形成することにより外力で傾かせることができるようにしてなり且つ柔軟性ゴム製部材からなる指装着部２と、の指装着部２の前部に該２と同一部材により一体成型により形成設けられた内側にレンズ嵌め溝３を有するフレーム部４と、レンズ嵌め溝３に嵌めこまれフレーム部４に保持されたプラスチック製の拡大レンズ５とで指ルーペ１を構成している。【選択図】  図１
2004219533.tif 000002
【特許請求の範囲】
【請求項１】
指を挿入したり挟持したりして該指に装着され且つ内側を凸湾曲に形成することにより外力で傾かせることができるようにしてなる指装着部と、この指装着部に直接に設けられた装着する親指と略同じ幅で角の無いあるいは丸い拡大レンズとからなることを特徴とする指ルーペ。
【請求項２】
指を挿入したり挟持したりして該指に装着する指装着部と、この指装着部に回動自在に設けられた回動継手部と、この回動継手部に設けられたレンズを取付けるためのレンズ係止部と、このレンズ係止部に着脱自在に取付けられる拡大レンズとからなることを特徴とする指ルーペ。
【請求項３】
指を挿入したり挟持したりして該指に装着する指装着部と、この指装着部に固定された塑性変形部と、この塑性変形部に取付けられた拡大レンズとからなることを特徴とする指ルーペ。
【請求項４】
指を挿入したり挟持したりして該指に装着する指装着部と、この指装着部に固定された塑性変形部と、この塑性変形部に設けられたレンズを取付けるためのレンズ係止部と、このレンズ係止部に着脱自在に取付けられる拡大レンズとからなることを特徴とする指ルーペ。
【請求項５】
指を挿入したり挟持したりして該指に装着する指装着部と、この指装着部の上部に設けられた拡大レンズを挿入して取付けるためのレンズ係止部と、このレンズ係止部に着脱自在に取付けられる該取付けの際の角度を折って任意に付けられるように折部を有する前記レンズ拡大レンズとからなることを特徴とする指ルーペ。
【請求項６】
指を挿入したり挟持したりして該指に装着する指装着部と、この指装着部に設けられたレンズを取付けるための上下角度の相違する複数のレンズ係止部と、このレンズ係止部に着脱自在に取付けられる拡大レンズとからなることを特徴とする指ルーペ。
【請求項７】
拡大レンズ本体と、この拡大レンズ本体と同一体で一体形成されてなる指に載せ当てる指当て部とからなり、指当て部に粘着テープを付け該指当て部と該粘着テープを指に置き該粘着テープを該指に巻き固定するようにしてなることを特徴とする指ルーペ。
【請求項８】
拡大レンズがフレーネルレンズであることを特徴とする請求項１〜７いずれか記載の指ルーペ。
【請求項９】
指装着部が指を挟持する形態であるとともにゴムなどの柔軟弾性部材からなることを特徴とする請求項１〜６いずれか記載の指ルーペ。
【請求項１０】
指装着部と拡大レンズが弾性で柔軟性のある高含水性高分子製透明部材など透明な弾性ソフトタッチ部材により一体的に形成されてなるものであることを特徴とする請求貢１記載の指ルーペ。
【発明の詳細な説明】
【０００１】
【発明の属する技術分野】
本発明は主に釣りの際に釣り針に餌をつけるのに便利な指ルーペに関する。
【０００２】
【従来技術】
従来、図１５に示すような硬質プラスチック製の指を挟持する指挟持部６３、この指挟持部６３上部に該６３と一体成型により形成された継手受け部６２とからなる指装着体６４と、継手受け部６２に回動自在に支持される硬質プラスチック製の回動継手部６１、この回動継手部６１の上部に該６１と一体成型により形成されたレンズ固定部６０とからなる回動台座体６５と、レンズ固定部６０に固定されたプラスチック製の拡大レンズ６６とからなる指ルーペ６７が知られている。
【０００３】
【発明が解決しようとする課題】
釣り人は年を取るにつれて老眼が進行し小さい餌を小さい釣り針に付ける操作が困難になってくる。このために釣りをするのを諦める釣り人が多い。これは、釣り業界にとっては市場の大きな損失であり、釣り人にとっては老後の楽しみを諦めざるを得ない無念であり、この釣り人問題の解決が求められており、前述した従来技術は以下に述べる点でこうした釣り人問題を解決でき難いという欠点を持つものであった。
（１）部品点数が３点であるためにコスト高になり製品が高価となり且つ交換は全体を行わなくてはならないので嵩張る経済的負担が大きい。
（２）釣りでの針への餌付け操作はレンズが汚れるが、いちいちレンズを洗浄するのは大変面倒。
（３）指挟持部が硬質プラスチック製であるので、指の細い人は緩くて外れたり角度調節ができ難く使い難い、指の太い人はその挟持力で痛いので長い間つけたままでは使用し難い。
（４）拡大レンズが親指よりもかなり幅広であるために、引っかかったりぶつかったりなどが多く使用感が大変悪い。
（５）全体が硬質プラスチックで強固に連結された構造となっているので、釣りのように多様で急な動作をともなう動きにおいては、レンズにぶつかった場合には指を負傷する危険が大変高い。
【０００４】
本発明は以上のような従来の欠点に鑑み、拡大レンズの角度を使用者の好みの角度にでき且つ安価で経済的負担の少ない指ルーペを提供することを目的としている。
また本発明の他の目的は、拡大レンズが汚れても該拡大レンズのみを容易に交換して使用でき且つ安価で経済的負担の小さな指ルーペを提供することを目的としている。
また本発明の目的は、指への装着が指の太さに係わらず長時間装着しても指に苦痛を与えない指ルーペを提供することを目的としている。
また本発明の目的は、拡大レンズの角度を使用者の好みの角度にでき、拡大レンズが汚れても容易に交換して使用でき、指への装着が指の太さに係わらず長時間装着しても指に苦痛を与えず、且つ、安価で経済的負担が少ない指ルーペを提供することを目的としている。
【０００５】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲を限定するものではない。
【０００６】
【課題を解決するための手段】
上記目的を達成するために、本発明は指を挿入したり挟持したりして該指に装着され且つ内側を凸湾曲に形成することにより外力で傾かせることができるようにしてなる指装着部と、この指装着部に直接に設けられた装着する親指と略同じ幅で角の無いあるいは丸い拡大レンズとで指ルーペ構成している。
【０００７】
【発明の実施の形態】
以下、図面に示す実施の形態により、本発明を詳細に説明する。
【０００８】
図１ないし図３に示す本発明の実施の形態において１は指ルーペであって、この指ルーペ１は指ｙを挟持しで指ｙに装着され且つ内側を凸湾曲に形成することにより外力で傾かせることができるようにしてなり且つ柔軟性ゴム製部材からなる指装着部２と、の指装着部２の前部に該２と同一部材により一体成型により形成設けられた内側にレンズ嵌め溝３を有するフレーム部４と、レンズ嵌め溝３に嵌めこまれフレーム部４に保持されたプラスチック製の拡大レンズ５とからなっている。
拡大レンズ５はフレーム部４の弾性伸縮製により容易に着脱できる。
【０００９】
指装着部と拡大レンズが弾性で柔軟性のある高含水性高分子製透明部材、シリコンゴム製部材など透明な弾性ソフトタッチ部材により一体的に形成されてなるものにするのがよい。
こうすることにより、ソフトタッチで指に痛みを与えない、且つ、成型が一回成型で形成できる安価な指ルーペを実現する。
【００１０】
【発明の異なる実施の形態】
次に、図４ないし図１４に示す本発明の異なる実施の形態につき説明する。
なお、これら発明の異なる実施の形態の説明に当たって、前記本発明の第１の実施の形態と同一構成部分には同一符号を付して重複する説明を省略する。
【００１１】
図４および図５に示す本発明の第２の実施の形態において前記本発明の第１の実施の形態と主に異なる点は、指装着部２の上部に継手受け部７を設け、この継手受け部７に上下方向に摩擦回動自在に回動継手８が設け、この回動継手８に設けられた拡大レンズ９を嵌め込み取付けるためのレンズ係止部材１０を設け、四角形のフレーネルレンズからなる拡大レンズ９には二つの凹みに挟まれて形成された挿入凸部１１を設けてなる指ルーペ１２とした点にある。
安価な拡大レンズ１１は汚れりしたら良いものに交換して使用することができる。
【００１２】
図６に示す本発明の第３の実施の形態において前記本発明の第１の実施の形態と主に異なる点は、指装着部２の上部に両端が開放された略切り込み形態の挿入された拡大レンズを挟持係止するレンズ係止部１５を設け、拡大レンズを四角形で下方に切り込みにより形成された折首部１４とレンズ係止部材１５に挿入する挿入片部１３を有するフレーネルレンズからなる拡大レンズ１６とした指ルーペ１７を形成した点にある。
使用者の使用しやすい角度や距離となるように折首部１４を折って使用することができる。
レンズ係止部は図ではわかり易くするために太く表示しているが、台部１４がゴム製部材などのソフトタッチ弾性部材であるので、切り込み的形態でよく、切り込み的形態とすることにより弾性部材の弾性挟持力と摩擦により拡大レンズの保持力をしっかりとしたものとできる。また、拡大レンズに衝突があってもレンズがレンズ係止部材１５からずれたり外れたりするので、指を負傷する心配がないものである。
【００１３】
図７に示す本発明の第４の実施の形態において前記本発明の第１の実施の形態と主に異なる点は、指装着部２の上部に台部１４を設け、この台部１４の前部に角度の相違する穴からなるレンズ係止部材１８ａ、１８ｂ、１８ｃを設け、該１８ａ、１８ｂ、１８ｃに嵌合係止する嵌合係止凸部１９を有する四角形のフレーネルレンズからなる拡大レンズ２０を着脱自在とした指ルーペ２１を形成した点にある。
【００１４】
図８に示す本発明の第５の実施の形態において前記本発明の第１の実施の形態と主に異なる点は、指装着部２の上部に台部１４を設け、この台部１４の前部に角度の相違する穴からなるレンズ係止部材１８ａ、１８ｂ、１８ｃを設け、該１８ａ、１８ｂ、１８ｃを上方から貫く小孔２３を設け、レンズ係止部材１８ａ、１８ｂ、１８ｃに嵌合係止する嵌合係止凸部１９を有し且つ該１９に小孔２３に嵌る小凸部２４を有してなる四角形のフレーネルレンズからなる拡大レンズ２２５を着脱自在とした指ルーペ２６を形成した点にある。
【００１５】
図９および図１０に示す本発明の第６の実施の形態において前記本発明の第１の実施の形態と主に異なる点は、フレーネルレンズからなる拡大レンズ本体２８と、この拡大レンズ本体２８と同一体で一体形成されてなる該２８よりも幅狭の指に当てる指当て部２９と、この指当て部２９の首根っこに当る部位に形成された折部３０とからなる指ルーペ３１を形成した点にある。
指当て部２９に傷当用のバンソウ膏である粘着テープ３２を貼り付け、親指ｙに載せ粘着テープ３２を巻き貼り付けて親指ｙ上に指ペール３１を固定する。その前に必要なら折部３０を適宜に折って好みの角度を持たせる。
図７に示す指ルーペ２１も同じ使用の仕方ができるものである。
また、先に下地となるバンソウ膏を指に巻きその上に指ルーペをもう一枚のバンソウ膏を巻き固定することにより、違和感が少なく指を傷つけない仕様とできる。
【００１６】
図１１に示す本発明の第７の実施の形態において前記本発明の第１の実施の形態と主に異なる点は、指装着部２の上部に凹部３４を設け、この凹部３４にゴム粘度に長い細繊維部材を練り込んでなる塑性変形体３５を接着して設け、この塑性変形体３５に拡大レンズ５を接着剤により固定してなる指ルーペ３６を形成した点にある。
図ではフレーム４に係止させているが拡大レンズ５のみがよい。
【００１７】
図１２に示す本発明の第８の実施の形態において前記本発明の第１の実施の形態と主に異なる点は、指装着部２の上部を平らから少し湾曲凹形態に形成してそこに塑性変形体３５を接着して設け、この塑性変形体３５に拡大レンズ２０の嵌合係止凸部１９を挿入嵌めるためのレンズ係止部材３８が埋め込まれ接着されてなる指ルーペ３９を形成した点にある。
レンズ係止部材３８を埋め込むことなく、嵌合係止凸部１９を直接塑性変形体３５に突っ込み埋めて支持するようにするのもよい。こうすることにより、より安価な指ペールを実現する。
【００１８】
図１３に示す本発明の第９の実施の形態において前記本発明の第１の実施の形態と主に異なる点は、拡大レンズ本体２８と、この拡大レンズから延びるように該２８と一体成型され該２８より幅狭の指の載せ部４１と、この指載せ部４１に表側を接着された剥離紙４２付きの粘着テープ４３とからなる指ルーペ４４を形成して点にある。
【００１９】
図１４に示す本発明の第１０の実施の形態において前記本発明の第１の実施の形態と主に異なる点は、拡大レンズ本体２８と、この拡大レンズから延びるように該２８と一体成型され該２８より幅狭の首部４６を設け、この首部４６の下部に帯状の指巻き付け部４７を設け、指巻き付け部４７の一方の端方の表側に粘着剤４８ａが設けられ、もう一方の端方の裏側に粘着剤４８ｂを設けられてなる指ルーペ４９を形成した点にある。
粘着剤４８ａ、４８ｂは、通常の使用においては他の部材が当っても接着されず、粘着剤４８ａ、４８ｂを重ね合わせると強力に接着される部材を使用する。
【００２０】
【発明の効果】
以上の説明から明らかなように、本発明にあっては次に列挙する効果が得られる。
【００２１】
（１）請求項１記載の発明は、指を挿入したり挟持したりして該指に装着され且つ内側を凸湾曲に形成することにより外力で傾かせることができるようにしてなる指装着部と、この指装着部に直接に設けられた拡大レンズとからなる構成であるので、拡大レンズの角度を使用者の好みの角度にできるとともに、指装着部と拡大レンズの二部品以下の部品からなる安価で経済的負担の少ない指ルーペを実現するという効果を得ることができる。
親指と略同じ幅であるので、多様な動作中でもぶつかったり引っかかったりすることが少なく、またぶつかっても支障のある違和感を感じさせない使用感の良いものとできる。
安価であるので複数所有して、餌などで汚れたら交換して使用し、後で洗浄して繰り返し使用しやすいものとできる。
安価であるので、釣り業界が無料で釣具店などで釣り人に提供するなどを可能とするものである。
【００２２】
（２）請求項２記載の発明は前記（１）と同様な効果を得ることができるとともに、拡大レンズを複数個を持っても安価であるので交換して使用でき経済的負担の小さいとともに、拡大レンズが餌などで汚れても新しいものと換して使用できる指ルーペを実現するという効果を得ることができる。
汚れた拡大レンズは後でまとめて洗浄して再使用できるの経済てきである。
指装着部を購入すれば、極めて安価なレンズをまとまった枚数購入して、拡大レンズを使い捨て的に使用できる。
また、レンズに強いぶつかりが生じた場合でも、レンズが外れるなどするので指を負傷することがない。
【００２３】
（３）請求項３記載の発明は指装着部に固定された塑性変形部と、この塑性変形部に取付けられた拡大レンズとからなる構成であるので、拡大レンズの角度を指に装着したまま、他方の指で好みの角度に自在に調節できる指ルーペを実現するという効果を得ることができる。
【００２４】
（４）請求項４記載の発明は前記（３）と同様な効果を得ることができるとともに、拡大レンズが餌などで汚れても新しいものと換して使用できる指ルーペを実現するという効果を得ることができる。
【００２５】
（５）請求項５記載の発明は、拡大レンズに任意の角度を付けて指装着部に着脱できるものであるので、使用者の使用条件に合わせた状態に角度を付けて使用でき、餌などで汚れても新しいものと交換して使用でき、且つ、使用後洗浄して拡大レンズを繰り返し使用できる経済的負担の少ない指ルーペを実現するという効果を得ることができる。
【００２６】
（６）請求項６記載の発明は、指装着部に設けられたレンズを取付けるための上下角度の相違する複数のレンズ係止部と、このレンズ係止部に着脱自在に取付けられる拡大レンズとからなる構成であるので、拡大レンズを使用者の好みの角度に固定して使用できるので拡大レンズの角度調節操作の必要がなく、拡大レンズが餌などで汚れても新しいものと交換して使用でき、且つ、使用後洗浄して拡大レンズを繰り返し使用できる経済的負担の少ない指ルーペを実現するという効果を得ることができる。
【００２７】
（７）請求項７記載の発明は前記（１）ないし（６）と同様な効果を得ることができるとともに、一発打ち抜き成型により形成されたフレーネルレンズ板形態とできるものであり、且つ、釣り人なら殆どが常備している絆創膏などの粘着テープで指に装着固定するものであるので、極めて安価なものとして提供できるという効果を得ることができる
【００２８】
（８）請求項８記載の発明は前記（１）ないし（６）と同様な効果を得ることができるとともに、拡大レンズがフレーネルレンズであるので、極めて安価にできるという効果を得ることができる。
【００２９】
（９）請求項９記載の発明は前記（１）ないし（８）と同様な効果を得ることができるとともに、指装着部が指を挟持する形態であるとともにゴムなどの柔軟弾性部材からなるので、指の太さに関係なくソフトタッチで長時間装着していても痛み与えない指ルーペを実現するという効果を得ることができる。
また、台部に略切り込みからなる角度の相違する複数のレンズ係止部を設けることにより、フレーネルレンズなどで形成した拡大レンズをその弾性力と摩擦により挟持状態を強く保持することを可能とするものである。
また、レンズに強いぶつかりが生じた場合でも、ソフト弾性体である指装着部が伸びねじれたりしてショックを緩和し、そのソフトさとあいまって指を負傷させることがない。
【００３０】
（１０）請求項１０記載の発明は前記（１）と同様な効果を得ることができるとともに、部品数が一つであり且つ透明な弾性ソフトタッチ部材で構成してなるものであるので安価にできるとともに、長時間指に装着しても痛みを感じさせることない指ペールを実現するという効果を得ることができる。
【図面の簡単な説明】
【図１】本発明の第１の実施の形態の底面図。
【図２】本発明の第１の実施の形態の中央縦断面図。
【図３】本発明の第１の実施の形態使用状態斜視図。
【図４】本発明の第２の実施の形態の組立分解正面図。
【図５】本発明の第２の実施の形態の中央縦断面図。
【図６】本発明の第３の実施の形態の中央縦断面図。
【図７】本発明の第４の実施の形態の中央縦断面図。
【図８】本発明の第５の実施の形態の中央縦断面図。
【図９】本発明の第６の実施の形態の使用手順斜視図。
【図１０】本発明の第６の実施の形態の使用状態斜視図。
【図１１】本発明の第７の実施の形態の中央縦断面図。
【図１２】本発明の第８の実施の形態の中央縦断面図。
【図１３】本発明の第９の実施の形態の正面図。
【図１４】本発明の第１０の実施の形態の正面図。
【図１５】従来技術の正面図。
【符号の説明】
１：指ルーペ、                      ２：指装着部、
３：レンズ嵌め溝、                  ４：フレーム部、
５：拡大レンズ、                    ７：継手受け部、
８：回動継手、                      ９：拡大レンズ、
１０：レンズ係止部材、            １１：挿入凸部、
１２：指ルーペ、                  １３：挿入片部
１４：折首部、                    １５：レンズ係止部材、
１６：拡大レンズ、                １７：指ルーペ、
１８ａ、１８ｂ、１８ｃ：レンズ係止部材、
１９：嵌合係止凸部、              ２０：拡大レンズ、
２１：指ルーペ、                  ２３：小孔、
２４：小凸部、                    ２５：拡大レンズ、
２６：指ルーペ、                  ２８：拡大レンズ本体、
２９：指当て部、                  ３０：折部、
３１：指ルーペ、                  ３２：粘着テープ、
３４：凹部、                      ３５：塑性変形体、
３６：指ルーペ、                  ３８：レンズ係止部材、
３９：指ルーペ、                  ４１：指の載せ部、
４２：剥離紙、                    ４３：粘着テープ、
４４：指ルーペ、                  ４６：首部、
４７：指巻き付け、                ４８ａ、４８ｂ：粘着剤、
４９：指ルーペ、                  ６０：レンズ固定部、
６１：回動継手部、                ６２：継手受け部、
６３：指挟持部、                  ６４：指装着体、
６５：回動台座体、                ６６：拡大レンズ、
６７：指ルーペ。
【図１】
2004219533.tif 000003
【図２】
2004219533.tif 000004
【図３】
2004219533.tif 000005
【図４】
2004219533.tif 000006
【図５】
2004219533.tif 000007
【図６】
2004219533.tif 000008
【図７】
2004219533.tif 000009
【図８】
2004219533.tif 000010
【図９】
2004219533.tif 000011
【図１０】
2004219533.tif 000012
【図１１】
2004219533.tif 000013
【図１２】
2004219533.tif 000014
【図１３】
2004219533.tif 000015
【図１４】
2004219533.tif 000016
【図１５】
2004219533.tif 000017